(57)【要約】【課題】プロジェクターの設置位置を知らせることが可能な技術を提供する。【解決手段】プロジェクターシステムは、プロジェクターと、プロジェクターおよび端末装置と通信可能な管理装置と、を含む。プロジェクターは、プロジェクターの設置位置を示す設置位置情報を管理装置に送信する通信部を含む。管理装置は、プロジェクターから送信された設置位置情報と、端末装置から送信されたプロジェクターに関する要求と、を受信する受信部と、受信部が受信した要求に応じて、設置位置情報が示す設置位置への案内に関する案内情報を、端末装置に送信する送信部と、を含む。【選択図】図１
2019062333.tif 000002
【特許請求の範囲】
【請求項１】
プロジェクターと、
前記プロジェクターおよび端末装置と通信可能な管理装置と、を含み、
前記プロジェクターは、
前記プロジェクターの設置位置を示す設置位置情報を前記管理装置に送信する通信部を含み、
前記管理装置は、
前記プロジェクターから送信された設置位置情報と、前記端末装置から送信されたプロジェクターに関する要求と、を受信する受信部と、
前記受信部が受信した前記要求に応じて、前記設置位置情報が示す設置位置への案内に関する案内情報を、前記端末装置に送信する送信部と、を含む
ことを特徴とするプロジェクターシステム。
【請求項２】
前記案内情報は、前記設置位置が表された地図を示す
ことを特徴とする請求項１に記載のプロジェクターシステム。
【請求項３】
前記要求には、前記端末装置の位置を示す端末位置情報が付加されており、
前記案内情報は、前記地図において前記端末装置の位置から前記設置位置までの経路を示す
ことを特徴とする請求項２に記載のプロジェクターシステム。
【請求項４】
前記送信部は、前記受信部が受信した前記要求に応じて、前記プロジェクターの仕様に関する仕様情報を前記端末装置にさらに送信する
ことを特徴とする請求項１から３のいずれか１項に記載のプロジェクターシステム。
【請求項５】
前記通信部は、前記プロジェクターの稼働状況を示す稼働情報を前記管理装置にさらに送信し、
前記受信部は、前記プロジェクターから送信された稼働情報をさらに受信し、
前記送信部は、前記受信部が受信した前記要求に応じて、前記稼働情報を前記端末装置にさらに送信する、
ことを特徴とする請求項１から４のいずれか１項に記載のプロジェクターシステム。
【請求項６】
前記端末装置は、前記要求を送信した後、前記端末装置の位置を示す位置情報を前記管理装置に送信し、
前記受信部は、前記端末装置が送信した位置情報をさらに受信し、
前記送信部は、前記位置情報が示す位置と前記設置位置情報が示す設置位置との距離が閾値よりも短くなった場合、前記プロジェクターに対して起動を指示する起動指示を送信する
ことを特徴とする請求項１から５のいずれか１項に記載のプロジェクターシステム。
【請求項７】
プロジェクターから送信された前記プロジェクターの設置位置を示す設置位置情報と、端末装置から送信されたプロジェクターに関する要求と、を受信する受信部と、
前記受信部が受信した前記要求に応じて、前記設置位置情報が示す設置位置への案内に関する案内情報を、前記端末装置に送信する送信部と、を含む
ことを特徴とする管理装置。
【請求項８】
プロジェクターおよび端末装置と通信可能な管理装置の制御方法であって、
前記プロジェクターから送信された前記プロジェクターの設置位置を示す設置位置情報を受信し、
前記端末装置から送信されたプロジェクターに関する要求に応じて、前記設置位置情報が示す設置位置への案内に関する案内情報を、前記端末装置に送信する
ことを特徴とする管理装置の制御方法。
【発明の詳細な説明】
【技術分野】
【０００１】
本発明は、プロジェクターシステム、管理装置および管理装置の制御方法に関する。
【背景技術】
【０００２】
特許文献１には、複数のプロジェクターの使用スケジュールを管理するプロジェクターシステムが記載されている。
【先行技術文献】
【特許文献】
【０００３】
【特許文献１】特開２０１７−２６７１５号公報
【発明の概要】
【発明が解決しようとする課題】
【０００４】
プロジェクターを使用しようとする者は、特許文献１に記載のプロジェクターシステムを用いてプロジェクターの使用スケジュールを参照することで、使用可能なプロジェクターを把握できる。
しかしながら、プロジェクターを使用しようとする者は、使用可能なプロジェクターを把握できても、そのプロジェクターの設置位置が分からなければ、そのプロジェクターを使用することができない。
【０００５】
本発明は上述した事情に鑑みてなされたものであり、プロジェクターの設置位置を知らせることが可能な技術を提供することを解決課題とする。
【課題を解決するための手段】
【０００６】
本発明に係るプロジェクターシステムの一態様は、プロジェクターと、前記プロジェクターおよび端末装置と通信可能な管理装置と、を含み、前記プロジェクターは、前記プロジェクターの設置位置を示す設置位置情報を前記管理装置に送信する通信部を含み、前記管理装置は、前記プロジェクターから送信された設置位置情報と、前記端末装置から送信されたプロジェクターに関する要求と、を受信する受信部と、前記受信部が受信した前記要求に応じて、前記設置位置情報が示す設置位置への案内に関する案内情報を、前記端末装置に送信する送信部と、を含むことを特徴とする。
この態様によれば、プロジェクターの設置位置への案内に関する案内情報が、端末装置に送信される。このため、プロジェクターの設置位置を知らせることが可能になる。
【０００７】
上述したプロジェクターシステムの一態様において、前記案内情報は、前記設置位置が表された地図を示すことが望ましい。
この態様によれば、プロジェクターの設置位置を示した地図が、案内情報として用いられる。このため、端末装置の利用者は、直感的にプロジェクターの設置位置を認識することが可能になる。
【０００８】
上述したプロジェクターシステムの一態様において、前記要求には、前記端末装置の位置が示され、前記案内情報は、前記地図において前記端末装置の位置から前記設置位置までの経路を示すことが望ましい。
この態様によれば、地図において端末装置の位置からプロジェクターの設置位置までの経路が示される。このため、端末装置の利用者は、経路が示されない場合に比べて、容易にプロジェクターの設置位置まで到達することが可能になる。
【０００９】
上述したプロジェクターシステムの一態様において、前記送信部は、前記受信部が受信した前記要求に応じて、前記プロジェクターの仕様に関する仕様情報を前記端末装置にさらに送信することが望ましい。
この態様によれば、端末装置の利用者は、案内の対象となるプロジェクターが利用者の望む仕様を有しているか否かを、当該プロジェクターを直接確認しなくても判断可能になる。
【００１０】
上述したプロジェクターシステムの一態様において、前記通信部は、前記プロジェクターの稼働状況を示す稼働情報を前記管理装置にさらに送信し、前記受信部は、前記プロジェクターから送信された稼働情報をさらに受信し、前記送信部は、前記受信部が受信した前記要求に応じて、前記稼働情報を前記端末装置にさらに送信することが望ましい。
この態様によれば、端末装置の利用者は、案内の対象となるプロジェクターが稼働しているか否かを、つまり、実際に使用中か否かを、プロジェクターの設置位置に行かなくても判断可能になる。
【００１１】
上述したプロジェクターシステムの一態様において、前記端末装置は、前記要求を送信した後、前記端末装置の位置を示す位置情報を前記管理装置に送信し、前記受信部は、前記端末装置が送信した位置情報をさらに受信し、前記送信部は、前記位置情報が示す位置と前記設置位置情報が示す設置位置との距離が閾値よりも短くなった場合、前記プロジェクターに起動を指示する起動指示を送信することが望ましい。
この態様によれば、端末装置の利用者が、案内の対象となるプロジェクターを使用するために、当該プロジェクターに近づいた場合に、プロジェクターを自動的に起動させることが可能になる。このため、端末装置の利用者は、プロジェクターの設置位置に到達した場合に、プロジェクターを起動させる操作を行うことなく、プロジェクターを使用することが可能になる。
【００１２】
本発明に係る管理装置の一態様は、プロジェクターから送信された前記プロジェクターの設置位置を示す設置位置情報と、端末装置から送信されたプロジェクターに関する要求と、を受信する受信部と、前記受信部が受信した前記要求に応じて、前記設置位置情報が示す設置位置への案内に関する案内情報を、前記端末装置に送信する送信部と、を含むことを特徴とする。
この態様によれば、プロジェクターの設置位置を知らせることが可能になる。
【００１３】
本発明に係る管理装置の制御方法は、プロジェクターおよび端末装置と通信可能な管理装置の制御方法であって、前記プロジェクターから送信された前記プロジェクターの設置位置を示す設置位置情報を受信し、前記端末装置から送信されたプロジェクターに関する要求に応じて、前記設置位置情報が示す設置位置への案内に関する案内情報を、前記端末装置に送信することを特徴とする。
この態様によれば、プロジェクターの設置位置を知らせることが可能になる。
【図面の簡単な説明】
【００１４】
【図１】第１実施形態に係るプロジェクターシステム１を示した図である。
【図２】案内画像Ａ１を示した図である。
【図３】案内画像Ａ２を示した図である。
【図４】プロジェクター１０の一例を示した図である。
【図５】投射部１３の一例を示した図である。
【図６】端末装置４０の一例を示した図である。
【図７】管理装置３０の一例を示した図である。
【図８】プロジェクターシステム１の動作を説明するためのシーケンス図である。
【図９】プロジェクターシステム１の動作を説明するためのシーケンス図である。
【発明を実施するための形態】
【００１５】
以下、図面を参照しながら本発明に係る実施の形態を説明する。なお、図面において各部の寸法および縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１６】
＜第１実施形態＞
図１は、第１実施形態に係るプロジェクターシステム１を示した図である。
プロジェクターシステム１は、プロジェクター１０および２０と管理装置３０とを含む。プロジェクター１０および２０と管理装置３０は、インターネット等の通信網２を介して、相互に通信可能である。管理装置３０と通信可能なプロジェクターの数は、「２」に限らず、「１」でもよいし、「３以上の数」でもよい。管理装置３０は、通信網２を介して、端末装置４０とも通信可能である。
【００１７】
管理装置３０は、プロジェクター１０の設置位置を示す第１設置位置情報と、プロジェクター１０の稼働状況を示す第１稼働情報とを、プロジェクター１０から受信する。第１設置位置情報は、設置位置情報の一例である。第１稼働情報は、稼働情報の一例である。稼働情報は、例えば、プロジェクター１０が使用されているかどうかを示す情報を含む。なお、稼働情報は、プロジェクター１０が使用されているかどうかを示す情報を含むものに限定されず、適宜変更可能である。
【００１８】
管理装置３０は、プロジェクター２０の設置位置を示す第２設置位置情報と、プロジェクター２０の稼働状況を示す第２稼働情報とを、プロジェクター２０から受信する。第２設置位置情報は、設置位置情報の他の例である。第２稼働情報は、稼働情報の他の例である。
【００１９】
管理装置３０は、プロジェクターに関する要求（以下「プロジェクター情報要求」とも称する）を端末装置４０から受信する。プロジェクター情報要求には、端末装置４０の位置を示す端末位置情報が付加されている。
【００２０】
管理装置３０は、プロジェクター情報要求に応じて、プロジェクターに関する案内を示す第１案内情報を端末装置４０に送信する。第１案内情報は、案内情報の一例である。端末装置４０は、第１案内情報を受信すると、第１案内情報が示す案内を表示する。
【００２１】
図２は、第１案内情報が示す案内の一例である案内画像Ａ１を示した図である。図２では、「プロジェクター」を「ＰＪ」と表している。プロジェクター１００は、会議室５１０に設置されているとする。プロジェクター２００は、会議室５２０に設置されているとする。端末装置４０は、会議室５１０および５２０に通じる通路５３０に位置しているとする。
【００２２】
案内画像Ａ１は、プロジェクター１０の設置位置１０Ａと、プロジェクター２０の設置位置２０Ａと、端末装置４０の位置４０Ａとが表された地図である。設置位置１０Ａは、第１設置位置情報によって特定される。設置位置２０Ａは、第２設置位置情報によって特定される。位置４０Ａは、端末位置情報によって特定される。
【００２３】
案内画像Ａ１は、さらに、プロジェクター１０に関する情報１０Ｂと、プロジェクター２０に関する情報２０Ｂも示す。
【００２４】
情報１０Ｂは、第１稼働情報が示すプロジェクター１０の稼働状況（図２では「未使用」）と、プロジェクター１０の仕様（図２では、ＷＵＸＧＡ（Wide Ulta eXtended Graphics Array）、ＨＤＭＩ（登録商標）（High Definition Multimedia Interface）、ＵＳＢ（Universal Serial Bus）に対応）を示す。プロジェクター１０の仕様は、管理装置３０に記録されている。情報１０Ｂは、稼働情報および仕様情報を兼ねる。仕様情報は、プロジェクター１０の仕様に関する情報である。仕様情報は、プロジェクター１０の解像度を示す情報と、プロジェクター１０が対応している映像ソース（またはインターフェース）の種類を示す情報と、を含む。なお、仕様情報は、プロジェクター１０の解像度を示す情報と、プロジェクター１０が対応している映像ソース（またはインターフェース）の種類を示す情報と、を含むものに限定されず、適宜変更可能である。
【００２５】
情報２０Ｂは、第２稼働情報が示すプロジェクター２０の稼働状況（図２では「使用中」）と、プロジェクター２０の仕様（図２では、ＷＸＧＡ（Wide eXtended Graphics Array）、ＨＤＭＩ（登録商標）に対応）を示す。プロジェクター２０の仕様は、管理装置３０に記録されている。情報２０Ｂは、稼働情報および仕様情報を兼ねる。
【００２６】
端末装置４０の利用者が、例えば、案内画像Ａ１に示されたプロジェクター１０を選択する操作を端末装置４０に対して実行すると、その選択結果が、端末装置４０から管理装置３０に送信される。この選択結果は、プロジェクターに関する要求の他の例である。
【００２７】
管理装置３０は、その選択結果（プロジェクターに関する要求）を受信すると、プロジェクターに関する案内を示す第２案内情報を端末装置４０に送信する。第２案内情報は、案内情報の他の例である。端末装置４０は、第２案内情報を受信すると、第２案内情報が示す案内を表示する。
【００２８】
図３は、第２案内情報が示す案内の一例である案内画像Ａ２を示した図である。
案内画像Ａ２は、選択されなかったプロジェクター２０についての情報２０Ｂが表示されずに、端末装置４０の位置から、選択されたプロジェクター１０の設置位置１０Ａまでの経路５４０が表示される点において、案内画像Ａ１と異なる。
なお、案内画像Ａ１において、プロジェクター２０が選択された場合、案内画像Ａ２では、情報１０Ｂが表示されずに情報２０Ｂが表示され、かつ、端末装置４０の位置から設置位置２０Ａまでの経路５４０が表示される。
【００２９】
図４は、プロジェクター１０の一例を示した図である。
プロジェクター１０は、ＧＰＳ（Global Positioning System）処理部１１と、通信部１２と、投射部１３と、記憶部１４と、制御部１５と、を含む。
【００３０】
ＧＰＳ処理部１１は、第１設置位置情報を生成する。
通信部１２は、通信網２を介して管理装置３０と通信可能である。例えば、通信部１２は、第１設置位置情報と第１稼働情報とを管理装置３０に送信する。
投射部１３は、スクリーン等の投射面に画像を投射して表示する。
【００３１】
図５は、投射部１３の一例を示した図である。投射部１３は、光源１３１と、光変調装置の一例である３つの液晶ライトバルブ１３２（１３２Ｒ，１３２Ｇ，１３２Ｂ）と、投射光学系の一例である投射レンズ１３３と、ライトバルブ駆動部１３４等を含む。投射部１３は、光源１３１から射出された光を液晶ライトバルブ１３２で変調して表示画像（画像光）を形成し、この表示画像を投射レンズ１３３から拡大投射する。表示画像は、投射面に表示される。投射部１３が投射する表示画像は、一般的に「投射画像」と称されることもある。
【００３２】
光源１３１は、キセノンランプ、超高圧水銀ランプ、ＬＥＤ（Light Emitting Diode）、またはレーザー光源等からなる光源部１３１ａと、光源部１３１ａが放射した光の方向のばらつきを低減するリフレクター１３１ｂとを含む。光源１３１から射出された光は、不図示のインテグレーター光学系によって輝度分布のばらつきが低減され、その後、不図示の色分離光学系によって光の３原色である赤色（Ｒ）、緑色（Ｇ）、青色（Ｂ）の色光成分に分離される。Ｒ，Ｇ，Ｂの色光成分は、それぞれ液晶ライトバルブ１３２Ｒ，１３２Ｇ，１３２Ｂに入射する。
【００３３】
液晶ライトバルブ１３２は、一対の透明基板間に液晶が封入された液晶パネル等によって構成される。液晶ライトバルブ１３２には、マトリクス状に配列された複数の画素１３２ｐからなる矩形の画素領域１３２ａが形成されている。液晶ライトバルブ１３２では、液晶に対して画素１３２ｐごとに駆動電圧を印加することが可能である。ライトバルブ駆動部１３４が、制御部１５から入力される表示画像信号に応じた駆動電圧を各画素１３２ｐに印加すると、各画素１３２ｐは、表示画像信号に応じた光透過率に設定される。このため、光源１３１から射出された光は、画素領域１３２ａを透過することで変調され、表示画像信号に応じた表示画像が色光ごとに形成される。
【００３４】
各色の画像は、図示しない色合成光学系によって画素１３２ｐごとに合成され、カラー画像光（カラー画像）である投射画像光（投射画像）が生成される。投射画像光は、投射レンズ１３３によってスクリーンＳＣに拡大投射される。
【００３５】
図４に戻って、記憶部１４は、コンピューター読み取り可能な記録媒体である。記憶部１４は、例えば、フラッシュメモリーである。記憶部１４は、フラッシュメモリーに限らず適宜変更可能である。記憶部１４は、制御部１５が実行する制御プログラムと、種々の情報を記憶する。
【００３６】
制御部１５は、例えば、ＣＰＵ（Central Processing Unit）等のコンピューターである。制御部１５は、１または複数のプロセッサーで構成されてもよい。制御部１５は、記憶部１４に記憶された制御プログラムを読み取り実行することによって、プロジェクター１０を制御する。
【００３７】
制御部１５は、例えば、画像情報に種々の画像処理を施して表示画像信号を生成し、表示画像信号を投射部１３に出力する。投射部１３は、表示画像信号に応じた画像を投射して表示する。
【００３８】
制御部１５は、ＧＰＳ処理部１１が生成した第１設置位置情報を管理装置３０に送信する処理を通信部１２に実行させる。
【００３９】
制御部１５は、プロジェクター１０の稼働状況に基づいて第１稼働情報を生成する。制御部１５は、第１稼働情報を管理装置３０に送信する処理を通信部１２に実行させる。
【００４０】
プロジェクター２０は、第１設置位置情報の代わりに第２設置位置情報が用いられ、第１稼働情報の代わりに第２稼働情報が用いられる点を除いて、プロジェクター１０と同一構成である。このため、プロジェクター２０の詳細な説明は割愛する。
【００４１】
図６は、端末装置４０の一例を示した図である。
端末装置４０は、例えば、スマートフォンまたはノート型ＰＣ（Personal Computer）等のモバイル端末である。端末装置４０は、ＧＰＳ処理部４１と、入力部４２と、表示部４３と、通信部４４と、記憶部４５と、制御部４６とを含む。
【００４２】
ＧＰＳ処理部４１は、端末位置情報を特定時間間隔で生成する。入力部４２は、例えば、タッチパネルまたはキーボードであり、端末装置４０の利用者による操作を受け取る。表示部４３は、種々の情報を表示する。
【００４３】
通信部４４は、通信網２を介して管理装置３０と通信可能である。例えば、通信部４４は、最新の端末位置情報が付されたプロジェクター情報要求を管理装置３０に送信する。また、通信部４４は、管理装置３０から第１案内情報および第２案内情報を受信する。
【００４４】
記憶部４５は、コンピューター読み取り可能な記録媒体である。記憶部４５は、制御部４６が実行する制御プログラムと、種々の情報を記憶する。
【００４５】
制御部４６は、例えば、ＣＰＵ等のコンピューターである。制御部４６は、１または複数のプロセッサーで構成されてもよい。制御部４６は、記憶部４５に記憶された制御プログラムを読み取り実行することによって、端末装置４０を制御する。
【００４６】
制御部４６は、例えば、入力部４２がプロジェクター情報要求を送信する旨の指示（例えば、管理装置３０にアクセスするための指示）を受け取ると、端末位置情報が付されたプロジェクター情報要求を管理装置３０に送信する処理を通信部４４に実行させる。
【００４７】
制御部４６は、通信部４４が第１案内情報を受信すると、第１案内情報が示す案内画像Ａ１を表示部４３に表示させる。
【００４８】
制御部４６は、例えば、入力部４２が案内画像Ａ１に示されたプロジェクターの１つを選択する指示を受け取ると、選択されたプロジェクターを示す選択結果を管理装置３０に送信する処理を通信部４４に実行させる。
【００４９】
制御部４６は、通信部４４が第２案内情報を受信すると、第２案内情報が示す案内画像Ａ２を表示部４３に表示する。
【００５０】
図７は、管理装置３０の一例を示した図である。
管理装置３０は、例えば、Ｗｅｂサーバーである。管理装置３０は、通信部３１と、記憶部３２と、制御部３３とを含む。
【００５１】
通信部３１は、プロジェクター１０および２０と端末装置４０と通信する。通信部３１は、受信部３１ａと、送信部３１ｂと、を含む。
【００５２】
受信部３１ａは、プロジェクター１０から送信された第１設置位置情報および第１稼働情報と、プロジェクター２０から送信された第２設置位置情報および第２稼働情報と、端末装置４０から送信されたプロジェクター情報要求と、を受信する。
【００５３】
送信部３１ｂは、プロジェクター情報要求に応じて、第１案内情報を端末装置４０に送信する。また、送信部３１ｂは、選択されたプロジェクターを示す選択結果に応じて、第２案内情報を端末装置４０に送信する。
【００５４】
記憶部３２は、コンピューター読み取り可能な記録媒体である。記憶部３２は、制御部３３が実行する制御プログラムと、種々の情報を記憶する。
種々の情報としては、プロジェクター１０の仕様を示す第１仕様情報と、プロジェクター２０の仕様を示す第２仕様情報と、地図を表す地図情報とが用いられる。
第１仕様情報は、解像度が「ＷＵＸＧＡ」であり、インターフェースとして「ＨＤＭＩ（登録商標）」と「ＵＳＢ」を有する旨を示す。
第２仕様情報は、解像度が「ＷＸＧＡ」であり、インターフェースとして「ＨＤＭＩ（登録商標）」を有する旨を示す。
第１仕様情報と第２仕様情報と地図情報は、例えば、予め記憶部３２に記憶される。
【００５５】
制御部３３は、例えば、ＣＰＵ等のコンピューターである。制御部３３は、１または複数のプロセッサーで構成されてもよい。制御部３３は、記憶部３２に記憶された制御プログラムを読み取り実行することによって、管理装置３０を制御する。
【００５６】
制御部３３は、受信部３１ａが端末装置４０を送信元とするプロジェクター情報要求を受信した場合、第１案内情報を端末装置４０に送信する処理を送信部３１ｂに実行させる。
【００５７】
制御部３３は、受信部３１ａが、第１案内情報に示されたプロジェクターを選択した旨の選択結果を受信すると、第２案内情報を端末装置４０に送信する処理を送信部３１ｂに実行させる。
【００５８】
次に、動作を説明する。
図８は、プロジェクター１０と管理装置３０との動作の一例を説明するためのシーケンス図である。図８に示した処理は、繰り返し実行される。
プロジェクター１０では、ＧＰＳ処理部１１が所定時間間隔で第１設置位置情報を生成するごとに、制御部１５は、プロジェクター１０の稼働状況を示す第１稼働情報を生成する。続いて、制御部１５は、最新の第１設置位置情報と最新の第１稼働情報とを管理装置３０に送信する処理を、通信部１２に実行させる（ステップＳ１０１）。
【００５９】
管理装置３０では、受信部３１ａが最新の第１設置位置情報と最新の第１稼働情報とを受信すると（ステップＳ１０２）、制御部３３は、最新の第１設置位置情報と最新の第１稼働情報とを記憶部３２に記憶する（ステップＳ１０３）。
管理装置３０は、最新の第１設置位置情報と最新の第１稼働情報とを記憶することで、プロジェクター１０の最新の設置位置と、プロジェクター１０の最新の稼働状況と、を管理する。
【００６０】
図８に示した処理と同様の処理が、プロジェクター２０および管理装置３０においても実行される。ただし、この場合、プロジェクター２０は、第１設置位置情報の代わりに第２設置位置情報を用い、第１稼働情報の代わりに第２稼働情報を用いる。
このため、管理装置３０は、最新の第２設置位置情報と最新の第２稼働情報とを記憶することで、プロジェクター２０の最新の設置位置と、プロジェクター２０の最新の稼働状況と、を管理する。
【００６１】
図９は、管理装置３０と端末装置４０の動作の一例を説明するためのシーケンス図である。
端末装置４０では、制御部４６は、入力部４２がプロジェクター情報要求を送信する旨の指示を受け取ると、ＧＰＳ処理部４１が生成した端末位置情報のうち最新の端末位置情報をプロジェクター情報要求に付加する。
続いて、制御部４６は、最新の端末位置情報が付加されたプロジェクター情報要求を管理装置３０に送信する処理を通信部４４に実行させる（ステップＳ２０１）。
【００６２】
管理装置３０では、受信部３１ａが、最新の端末位置情報が付されたプロジェクター情報要求を受信すると（ステップＳ２０２）、制御部３３は、第１案内情報を生成する（ステップＳ２０３）。
【００６３】
ステップＳ２０３では、制御部３３は、最新の端末位置情報と、記憶部３２に記憶した情報（最新の第１設置位置情報、最新の第１稼働情報、最新の第２設置位置情報、および最新の第２稼働情報）と、記憶部３２に予め記憶されている情報（第１仕様情報、第２仕様情報、および地図情報）と、を用いて、案内画像Ａ１（図２参照）を示す第１案内情報を生成する。
【００６４】
具体的には、制御部３３は、まず、記憶部３２に記憶されている地図情報を用いて、最新の第１設置位置情報が示す第１設置位置と、最新の第２設置位置情報が示す第２設置位置と、最新の端末位置情報が示す端末位置と、を含む地図を決定する。
続いて、制御部３３は、特定した地図において、第１設置位置にプロジェクター１０を示す画像を配置し、第２設置位置にプロジェクター２０を示す画像を配置し、端末位置に端末装置４０を示す画像を配置する。
続いて、制御部３３は、第１稼働情報が示す稼働状況と、第１仕様情報が示す仕様とを示した情報１０Ｂを、地図上のプロジェクター１０の画像への矢印とともに、地図上に配置する。
続いて、制御部３３は、第２稼働情報が示す稼働状況と、第２仕様情報が示す仕様とを示した情報２０Ｂを、地図上のプロジェクター２０の画像への矢印とともに、地図上に配置する。
このようにして、制御部３３は、第１案内情報を生成する。
【００６５】
続いて、制御部３３は、第１案内情報を端末装置４０に送信する処理を送信部３１ｂに実行させる（ステップＳ２０４）。
【００６６】
端末装置４０では、通信部４４が第１案内情報を受信すると（ステップＳ２０５）、制御部４６は、第１案内情報が示す案内画像Ａ１（図２参照）を表示部４３に表示する（ステップＳ２０６）。
【００６７】
続いて、入力部４２が案内画像Ａ１に示されたプロジェクターの１つ（例えば、プロジェクター１０）を選択する指示を受け取ると、制御部４６は、選択されたプロジェクターを示す選択結果（以下「プロジェクターの選択結果」とも称する）を管理装置３０に送信する処理を通信部４４に実行させる（ステップＳ２０７）。
【００６８】
管理装置３０では、受信部３１ａがプロジェクターの選択結果を受信すると（ステップＳ２０８）、制御部３３は、第２案内情報を生成する（ステップＳ２０９）。
【００６９】
ステップＳ２０９では、制御部３３は、最新の端末位置情報と、記憶部３２に記憶した情報（最新の第１設置位置情報、最新の第１稼働情報、最新の第２設置位置情報、および最新の第２稼働情報）と、記憶部３２に予め記憶されている情報（第１仕様情報、第２仕様情報、および地図情報）と、プロジェクターの選択結果とを用いて、案内画像Ａ２（図３参照）を示す第２案内情報を生成する。以下、プロジェクター１０が選択された場合の第２案内情報の生成例を説明する。
【００７０】
制御部３３は、まず、記憶部３２に記憶されている地図情報を用いて、第１設置位置（プロジェクターの選択結果が示すプロジェクター１０の位置）と、端末位置と、を含む地図を決定する。
続いて、制御部３３は、特定した地図において、第１設置位置にプロジェクター１０を示す画像を配置し、第２設置位置にプロジェクター２０を示す画像を配置し、端末位置に端末装置４０を示す画像を配置する。
続いて、制御部３３は、第１稼働情報が示す稼働状況と、第１仕様情報が示す仕様とを示した情報１０Ｂを、地図上のプロジェクター１０の画像への矢印とともに、地図上に配置する。
続いて、制御部３３は、端末位置から第１設置位置までの経路５４０を、地図上に配置する。
このようにして、制御部３３は、第２案内情報を生成する。
【００７１】
続いて、制御部３３は、第２案内情報を端末装置４０に送信する処理を送信部３１ｂに実行させる（ステップＳ２１０）。
【００７２】
端末装置４０では、通信部４４が第２案内情報を受信すると（ステップＳ２１１）、制御部４６は、第２案内情報が示す案内画像Ａ２（図３参照）を表示部４３に表示させる（ステップＳ２１２）。
【００７３】
本実施形態に係るプロジェクターシステム１、管理装置３０および管理装置３０の制御方法によれば、プロジェクターの設置位置への案内に関する案内情報が、端末装置４０に送信される。このため、プロジェクターの設定位置を知らせることが可能になる。本実施形態は、例えば、プロジェクターを移動させて使用する態様（プロジェクターの設置位置が固定されていない態様）において特に有効となる。
また、プロジェクターまでの経路５４０を知らせることができるので、端末装置４０の利用者は、容易にプロジェクターの設置位置まで到達することが可能になる。
【００７４】
＜変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【００７５】
＜変形例１＞
管理装置３０の制御部３３は、案内画像Ａ１に示されたプロジェクターの中から選択されたプロジェクターについて、使用予約を行ってもよい。
変形例１によれば、プロジェクターの選択操作が、プロジェクターの使用予約のための操作と、プロジェクターまでの経路表示のための操作を兼ねるため、操作の簡略化を図ることが可能になる。
特に、情報１０Ｂおよび情報２０Ｂにプロジェクターの稼働状況が示されるため（図２参照）、実際に稼働していないプロジェクター（空いているプロジェクター）に対して使用予約を行うことが可能になる。
また、プロジェクターの位置が固定されている場合、プロジェクターの使用予約は、プロジェクターが設置されている部屋（例えば、会議室）の予約としても用いることが可能になる。この場合、プロジェクターの選択操作が、プロジェクターが設置されている部屋の予約のための操作と、プロジェクターの使用予約のための操作と、プロジェクターまでの経路表示のための操作を兼ねるため、操作の簡略化を図ることが可能になる。
【００７６】
＜変形例２＞
端末装置４０の制御部４６は、プロジェクターの選択結果を送信する処理を通信部４４に実行させた後、ＧＰＳ処理部４１が生成した端末位置情報を管理装置３０に送信する処理を通信部４４に実行させてもよい。
この場合、管理装置３０では、受信部３１ａは、その端末位置情報を受信し、制御部３３は、端末位置情報が示す位置と、プロジェクターの選択結果で選択されたプロジェクターの設置位置との距離が閾値よりも短くなった場合、選択されたプロジェクターに起動を指示する起動指示を送信する処理を送信部３１ｂに実行させてもよい。閾値の一例としては、１０ｍが挙げられる。閾値は、１０ｍに限らず適宜変更可能である。
変形例２によれば、端末装置４０の利用者が、選択したプロジェクターを使用するために当該プロジェクターに近づいた場合に、選択したプロジェクターを自動的に起動させることが可能になる。このため、端末装置４０の利用者は、選択したプロジェクターの設置位置に到達した場合に、選択したプロジェクターを起動させる操作を行うことなく、選択したプロジェクターを使用することが可能になる。
なお、起動指示によってプロジェクターを起動させてから所定時間（例えば５分）経過しても、そのプロジェクターに投射用の画像情報が入力されない場合、制御部３３は、電源オフ（非稼働）を指示する非稼働指示を、そのプロジェクターに送信する処理を、送信部３１ｂに実行させて、そのプロジェクターを非稼働状態に戻してもよい。
【００７７】
＜変形例３＞
案内画像Ａ１において、情報１０Ｂおよび情報２０Ｂが省略されてもよい。また、案内画像Ａ２において、情報１０Ｂが省略されてもよい。この場合、第１稼働情報と第２稼働情報と第１仕様情報と第２仕様情報とを不要にすることが可能になる。
【００７８】
＜変形例４＞
通信網２は、インターネットに限らず適宜変更可能であり、例えば、イントラネットでもよい。
【００７９】
＜変形例５＞
プロジェクター１０は、ＧＰＳ処理部１１を用いて第１設置位置情報を生成したが、他のデバイスを用いて第１設置位置情報を取得してもよい。また、プロジェクター２０は、ＧＰＳ処理部を用いて第２設置位置情報を生成したが、他のデバイスを用いて第２設置位置情報を取得してもよい。端末装置４０は、ＧＰＳ処理部４１を用いて端末位置情報を生成したが、他のデバイスを用いて端末位置情報を取得してもよい。
【００８０】
＜変形例６＞
投射部１３では、光変調装置として液晶ライトバルブが用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系や色合成光学系に相当する部材は不要である。また、液晶パネルおよびＤＭＤ以外にも、光源が発した光を変調可能な構成は、光変調装置として採用できる。
【符号の説明】
【００８１】
１…プロジェクターシステム、１０…プロジェクター、１１…ＧＰＳ処理部、１２…通信部、１３…投射部、１４…記憶部、１５…制御部、２０…プロジェクター、３０…管理装置、３１…通信部、３１ａ…受信部、３１ｂ…送信部、３２…記憶部、３３…制御部、４０…端末装置。
【図１】
2019062333.tif 000003
【図２】
2019062333.tif 000004
【図３】
2019062333.tif 000005
【図４】
2019062333.tif 000006
【図５】
2019062333.tif 000007
【図６】
2019062333.tif 000008
【図７】
2019062333.tif 000009
【図８】
2019062333.tif 000010
【図９】
2019062333.tif 000011